(57)【要約】【課題】開閉パネルの横幅を本体パネルの横幅よりも大きな幅として、開閉パネルの両端に本体パネルに沿うフランジ部を形成するとともに、本体パネル側に上記フランジ部と面一となるように突出する突き当て部を有するパネルカバーを設ける室内機筐体を備えている空気調和機において、意匠性の向上を図る。【解決手段】開閉パネル２０の下縁２２に、一方の突き当て部１５ａから他方の突き当て部１５ａの下端までを覆う飾り板３０が取り付けられている。【選択図】図２
2018162921.tif 000002
【特許請求の範囲】
【請求項１】
本体パネルと、上記本体パネルの前面に上縁側を軸として回動するように取り付けられた開閉パネルとを含む直方体状の室内機筐体を備え、上記開閉パネルの横幅は上記本体パネルの横幅よりも大きな幅を有し、上記開閉パネルの左右の両側縁に上記本体パネル側に回り込むフランジ部が形成されているとともに、上記本体パネルの左側および右側に上記フランジ部と面一となるように突出する突き当て部を有するパネルカバーが設けられている空気調和機において、
上記開閉パネルには、上記開閉パネルの下縁と上記一方の突き当て部から上記他方の突き当て部までを覆う飾り板が取り付けられていることを特徴とする空気調和機。
【請求項２】
上記飾り板は、上記開閉パネルの下縁の中央部分に対応する主面部と、上記主面部の両端から回り込み上記フランジ部に対応する角部と、上記突き当て部に対応する延出部とを一体として備えており、上記開閉パネルは、上記延出部の内側にパネル延出部を設けることを特徴とする請求項１に記載の空気調和機。
【請求項３】
上記飾り板の上記角部に上方へ立設する係止爪を設け、上記フランジ部に上記係止爪を受ける係止孔を設けることを特徴とする請求項２に記載の空気調和機。
【請求項４】
上記開閉パネルの上記パネル延出部は、上記飾り板の上記延出部の後方端面で下方へ折れ曲がり、上記後方端面の下部にまで延出した指掛け部が設けられていることを特徴とする請求項２または３に記載の空気調和機。
【発明の詳細な説明】
【技術分野】
【０００１】
本発明は、空気調和機に関し、さらに詳しく言えば、前面に開閉パネルを有する壁掛け式室内機に関するものである。
【背景技術】
【０００２】
壁掛け式室内機の一部の機種は、室内機筐体を覆う本体パネルの前面にフラットな面を有する開閉パネルを備えているものがある。開閉パネルは、その上辺側に設けられている回転軸を中心に回動可能であり、主としてフィルターのメンテナンス時に手動にて開かれる。
【０００３】
そのため、開閉パネルと本体パネルの合わせ目に、指掛け部としての凹部が設けられており、フィルターのメンテナンス時に、その指掛け部に指を掛けて開閉パネルを開きやすくしている。
【０００４】
ところで、このような開閉パネルを有する室内機において、最近では、室内機を大型に見せるとともに、開閉パネルで本体パネルを隠すことで美観の向上を図っているものがある。
【０００５】
このような室内機では、開閉パネルの横幅を本体パネルの横幅よりも大きな幅として、開閉パネルの両端に本体パネルに回り込むフランジ部を形成するとともに、本体パネル側に上記フランジ部と面一となるように突出する突き当て部を有するパネルカバーを設けるようにしている（例えば、特許文献１参照）。
【先行技術文献】
【特許文献】
【０００６】
【特許文献１】中国意匠公報ＣＮ３０３７５６９１２Ｓ
【発明の概要】
【発明が解決しようとする課題】
【０００７】
しかしながら、壁掛け式室内機は壁面の高所に設置され下から見上げられるため、開閉パネルのフランジ部とパネルカバーの突き当て部との合わせ目や、その合わせ目に設けられている指掛け部が目に付きやすく美観が損なわれる、という問題がある。
【０００８】
そこで、本発明の課題は、開閉パネルを本体パネルの横幅よりも大きな横幅として、開閉パネルの両端に本体パネルに沿うフランジ部を形成するとともに、本体パネル側に上記フランジ部と面一となるように突出する突き当て部を有するパネルカバーを設ける室内機筐体を備えている空気調和機において、意匠性の向上を図ることにある。
【課題を解決するための手段】
【０００９】
上記課題を解決するため、請求項１に係る発明は、本体パネルと、上記本体パネルの前面に上縁側を軸として回動するように取り付けられた開閉パネルとを含む直方体状の室内機筐体を備え、上記開閉パネルの横幅は上記本体パネルの横幅よりも大きな幅を有し、上記開閉パネルの左右の両側縁に上記本体パネル側に回り込むフランジ部が形成されているとともに、上記本体パネルの左側および右側に上記フランジ部と面一となるように突出する突き当て部を有するパネルカバーが設けられている空気調和機において、上記開閉パネルには、上記開閉パネルの下縁と上記一方の突き当て部から上記他方の突き当て部までを覆う飾り板が取り付けられていることを特徴としている。
【００１０】
請求項２に係る発明は、請求項１において、上記飾り板は、上記開閉パネルの下縁の中央部分に対応する主面部と、上記主面部の両端から回り込み上記フランジ部に対応する角部と、上記突き当て部に対応する延出部とを一体として備えており、上記開閉パネルは、上記延出部の内側にパネル延出部を設けることを特徴としている。
【００１１】
請求項３に係る発明は、請求項２において、上記飾り板の上記角部に上方へ立設する係止爪を設け、上記フランジ部に上記係止爪を受ける係止孔を設けることを特徴としている。
【００１２】
請求項４に係る発明は、請求項２または３において、上記開閉パネルの上記パネル延出部は、上記飾り板の上記延出部の後方端面で下方へ折れ曲がり、上記後方端面の下部にまで延出した指掛け部が設けられていることを特徴としている。
【発明の効果】
【００１３】
本発明によれば、開閉パネルには、開閉パネルの下縁と、パネルカバーの一方の突き当て部から他方の突き当て部までを覆う飾り板が取り付けられていることにより、室内機筐体を下から見上げた場合、開閉パネルの下縁とパネルカバーの突き当て部が視認されなくなり、全体的に良好な美観を得ることができる。
【００１４】
また、開閉パネルは、飾り板の延出部の内側にパネル延出部を設け、飾り板の角部に上方へ立設する係止爪を設け、フランジ部に係止爪を受ける係止孔を設けることにより、飾り板の延出部の開閉パネルからの浮き上がり（離反）が確実に防止される。
【００１５】
また、開閉パネルのパネル延出部に開閉パネルを開く際の指掛け部が設けられていることにより、開閉パネルをより小さな力で楽に開けることができる。
【図面の簡単な説明】
【００１６】
【図１】本発明の空気調和機が備える室内機筐体の外観斜視図。
【図２】上記室内機筐体を空調室から見上げた状態を示す正面図。
【図３】（ａ）上記室内機筐体の要部各第斜視図、（ｂ）そのＣ−Ｃ線断面図。
【図４】上記室内機筐体に含まれる開閉パネルを示す斜視図。
【図５】上記開閉パネルと飾り板とを分離して示す斜視図。
【図６】図５の拡大斜視図。
【図７】上記飾り板が取り付けられた上記開閉パネルの裏面側の一部分を示す斜視図。
【図８】上記飾り板の裏面側の一部分を示す斜視図。
【図９】図４のＡ−Ａ線拡大断面図。
【図１０】図４のＡ−Ａ線拡大断面図。
【図１１】上記飾り板の端部に設けられる指掛け部を示す斜視図。
【図１２】上記指掛け部の操作状態を示す断面図。
【発明を実施するための形態】
【００１７】
次に、図１ないし図１２を参照して、本発明の実施形態について説明するが、本発明はこの実施形態に限定されるものではない。
【００１８】
本発明に係る空気調和機の室内機は、空調室内に設置され、屋外に設置される室外機と冷媒配管を介して接続されて冷凍サイクルを構成する。
【００１９】
本発明の空気調和機は、図１に示す直方体状の室内機筐体１を備えている。図２を併せて参照して、室内機筐体１は、室内機筐体１の外郭を形成する本体パネル１０を有し、本体パネル１０の前面には開閉パネル２０が取り付けられている。
【００２０】
本体パネル１０は、上面を覆う上面部１２、左側面を覆う左側面部１１Ｌ、右側面を覆う右側面部１１Ｒおよび前面を覆う前面部１３を備えている。左側面部１１Ｌ、右側面部１１Ｒを区別する必要がない場合には、総称として側面部１１と言う。
【００２１】
図示しないが、本体パネル１０内には、熱交換器と送風ファンや同熱交換器と送風ファンを支持して送風路を形成するケーシング等が収納されている。この実施形態において、空気吸込部は上面部１２に形成されている。
【００２２】
空気吹出部は、前面部１３の下部に形成されており、空気吹出部には例えば２枚の上下風向板１４ａ，１４ｂが設けられている。上下風向板１４は１枚であってもよい。また、図示しないが、空気吹出部内には左右風向板が設けられている。
【００２３】
開閉パネル２０は、図２に示されるように開閉パネル２０の周囲をそれぞれ上縁２１、下縁２２、左側縁２３Ｌおよび右側縁２３Ｒとし、前面側に膨らんだ横長矩形状となっている。図示しないが、上縁２１の内側に本体パネル１０に対する軸（回動支軸）を有し、軸周りに開閉パネル２０が回動して下縁２２側が開閉するように本体パネル１０の前面に取り付けられている。なお、左側縁２３Ｌ、右側縁２３Ｒを区別する必要がない場合には、総称として側縁２３と言う。
【００２４】
本体パネル１０の側面部１１間の横幅（左側面部１１Ｌと右側面部１１Ｒ間の幅）をＷａ，開閉パネル２０の側縁２３間の横幅（左側縁２３Ｌと右側縁２３Ｒ間の幅）をＷｂとするとＷａ＜Ｗｂとなっている。
【００２５】
すなわち、開閉パネル２０の横幅Ｗｂは、本体パネル１０の側面部１１間の横幅Ｗａよりも大きな幅を有し、開閉パネル２０の側縁２３は本体パネル１０の側面部１１よりも外側に突き出ている。
【００２６】
この突き出た部分において、開閉パネル２０の両側縁２３（２３Ｌ，２３Ｒ）には、図３（ａ）に示すように、側面部１１側に回り込むフランジ部２４（２４Ｌ，２４Ｒ）が形成されている。
【００２７】
本体パネル１０の側面部１１（１１Ｌ，１１Ｒ）には、図３（ｂ）に示すように、フランジ部２４（２４Ｌ，２４Ｒ）と面一となるように突出する突き当て部１５ａを有するパネルカバー１５（１５Ｌ，１５Ｒ）が設けられている。図３（ｂ）のＬはフランジ部２４と突き当て部１５ａの合わせ目を示す。
【００２８】
なお、図３（ａ），（ｂ）には、側縁２３の一方の右側縁２３Ｒ側のフランジ部２４Ｒとパネルカバー１５Ｒが示されているが、他方の左側縁２３Ｌ側にも対称な形状のフランジ部２４Ｌとパネルカバー１５Ｌが設けられる。
【００２９】
図４に示すように、開閉パネル２０の下縁２２には、化粧用の飾り板３０が取り付けられている。飾り板３０は、樹脂材にメタリックコーティングを施したものであり、照明器具等の光を反射して室内機筐体１に高級感を与えるものである。
【００３０】
図５を併せて参照して、開閉パネル２０の下縁２２には、飾り板３０を取り付けるための底板２２ａが形成されている。底板２２ａは、上端（開閉パネル２０の下縁２２）が弓形状で、下縁が空気吹出部の上下風向板１４ａに合わせて直線状をなす。また底板２２ａの両端は、フランジ部２４（２４Ｌ，２４Ｒ）に沿わしてフランジ部２４の下端にまで延びている。
【００３１】
飾り板３０は、底板２２ａの中央部分に対応する主面部３１と、主面部３１の両端から回り込みフランジ部２４（２４Ｌ，２４Ｒ）に対応する角部３７と、パネルカバー１５（１５Ｌ，１５Ｒ）の突き当て部１５ａ，１５ａに対応する延出部３２，３２とを一体として備えており、一方の突き当て部１５ａから他方の突き当て部１５ａまでの範囲を覆う。これによれば、図２に示す室内機筐体１を空調室から見上げた状態では、開閉パネル２０の下縁２２とパネルカバー１５の突き当て部１５ａが視認されなくなり、全体的に良好な美観を得ることができる。
【００３２】
開閉パネル２０は、飾り板３０の延出部３２の内側に沿ってパネルカバー１５（１５Ｌ，１５Ｒ）の突き当て部１５ａの下端にまで延出するパネル延出部２７を設けている。
【００３３】
図７、図８および図１０を参照して、飾り板３０の角部３７には、開閉パネル２０への取り付け時にフランジ部２４内に入り込む係止爪３３が立設されている。係止爪３３は弾性変形可能で、その先端に鉤部３３ａを備えている。
【００３４】
これに対して、フランジ部２４には、係止爪３３が挿通する係止孔２４２が設けられている。この実施形態において、係止孔２４２は、フランジ部２４の内壁面２４１と、内壁面２４１と対向する隔壁２４３によって形成されている。
【００３５】
これによれば、飾り板３０を開閉パネル２０の下縁２２に下から押し込んで行く際、図１０に示すように、係止爪３３の鉤部３３ａが隔壁２４３を乗り越えて隔壁２４３の上端に係止することにより、飾り板３０の両端の角部３７，３７が開閉パネル２０のフランジ部２４に確実に固定され、飾り板３０の延出部３２の開閉パネル２０からの浮き上がり（離反）が防止される。
【００３６】
また、図６から図９を併せて参照して、飾り板３０の主面部３１には、開閉パネル２０に対する位置決め手段４１と、係止手段４２とが設けられている。
【００３７】
位置決め手段４１は、飾り板３０の主面部３１の下辺３１ａに所定の間隔をもって複数箇所に設けられた差込片３４と、開閉パネル２０の底板２２ａの下辺２２１に差込片３４と対応する位置に複数箇所に設けられた受け孔２５との組合せよりなる。
【００３８】
係止手段４２は、飾り板３０の主面部３１の上辺３１ｂに所定の間隔をもって複数箇所に設けられた係止鉤３５と、開閉パネル２０の底板２２ａの上辺２２２に係止鉤３５と対応する位置に複数箇所に設けられた受け孔２６との組合せよりなる。図９に示すように、受け孔２６内には係止鉤３５が係止されるリブ２６１が形成されている。
【００３９】
なお、上記主面部３１の下辺３１ａ、上記底板２２ａの下辺２２１とは、図２の正面視において飾り板３０、底板２２ａの奥側の辺で、これに対して、上記主面部３１の上辺３１ｂ，上記底板２２ａの上辺２２２とは、図２の正面視において飾り板３０、底板２２ａの手前側の辺である。
【００４０】
これによれば、飾り板３０を開閉パネル２０の下縁２２に取り付ける際、差込片３４を受け孔２５内に差し込むことにより係止鉤３５が対応する受け孔２６に案内（位置決め）され、飾り板３０の上辺３１ｂ側を開閉パネル２０に向けて押し付けることにより、係止鉤３５が受け孔２６に入り込んでリブ２６１に係合する。
【００４１】
図１１、図１２を参照して、開閉パネル２０のパネル延出部２７は、飾り板３０の延出部３２の後方端面３２１で下方へ折れ曲がり、後方端面３２１の下部まで延出した指掛け部２４５が設けられている。
【００４２】
指掛け部２４５は、開閉パネル２０を開ける際に指が掛けられるもので、指の係り具合をよくするため、また、触ったときの感触で指掛け部２４５であることを分かり易くするための触手認識用として、指掛け部２４５に凸部２４６を設けることが好ましい。凸部２４６に代えてリブとしてもよい。
【００４３】
これによれば、指掛け部２４５が開閉パネル２０の上縁２１側にある図示しない軸から最も離れた位置に配置されるため、より小さな力で楽に開閉パネル２０を開けることができる。また、図２の下方からの正面視で指掛け部２４５が視認されないことで美観に影響を与えることがない。
【００４４】
以上説明したように、本発明によれば、開閉パネル２０の下縁２２と一方の突き当て部１５ａから他方の突き当て部１５ａの下端までを覆う飾り板３０が取り付けられていることにより、室内機筐体１を下から見上げた場合、開閉パネル２０の下縁２２とパネルカバー１５の突き当て部１５ａや、指掛け部２４５が視認されないことで、全体的に良好な美観を得ることができる。
【００４５】
また、開閉パネル２０のフランジ部２４と飾り板３０の角部３７には、飾り板３０を開閉パネル２０に固定するための好ましくは係止孔２４２と係止爪３３の組合せよりなる係止手段が設けられていることにより、飾り板３０の特に延出部３２の開閉パネル２０からの浮き上がり（離反）が確実に防止される。
【００４６】
また、開閉パネル２０の各フランジ部２４に開閉パネル２０を開く際の指掛け部２４５が設けられていることにより、開閉パネル２０をより小さな力で楽に開けることができる。
【符号の説明】
【００４７】
１  室内機筐体
１０  本体パネル
１１（１１Ｌ，１１Ｒ）  側面部
１２  上面部
１３  前面部
１４  上下風向板
１５  パネルカバー
１５ａ  突き当て部
２０  開閉パネル
２１  上縁
２２  下縁
２２ａ  底板
２２１  下辺
２２２  上辺
２３（２３Ｌ，２３Ｒ）  側縁
２４（２４Ｌ，２４Ｒ）  フランジ部
２４２  係止孔
２４５  指掛け部
２５，２６  受け孔
２７  パネル延出部
３０  飾り板
３１  主面部
３１ａ  下辺
３１ｂ  上辺
３２  延出部
３２１  後方端面
３３  係止爪
３４  差込片
３５  係止鉤
３７  角部
【図１】
2018162921.tif 000003
【図２】
2018162921.tif 000004
【図３】
2018162921.tif 000005
【図４】
2018162921.tif 000006
【図５】
2018162921.tif 000007
【図６】
2018162921.tif 000008
【図７】
2018162921.tif 000009
【図８】
2018162921.tif 000010
【図９】
2018162921.tif 000011
【図１０】
2018162921.tif 000012
【図１１】
2018162921.tif 000013
【図１２】
2018162921.tif 000014